(57)【要約】【課題】光ファイバーを用いてより細かな複数パターンの形状の表示をより容易且つより迅速に切り替えて表示することを可能にする。【解決手段】マルチコアファイバー３０と、波長の異なる複数色の光を出射する光源１０と、光源１０から出射させる光の色を切り替える光源制御部２０とを備え、光源１０は、光源１０から出射される光が複数のコア３００のうちの一部のコア３００に偏って入射されるように設けられており、複数のコア３００は、光源１０から出射する光の色の種類と同じ数の表示パターンを構成可能に、マルチコアファイバー３０の断面方向にお互いが離間して配置されているとともに、コア長、コア間距離、及びコア径が、光源１０から入射する光の色別に、コア３００間のクロストークによって複数のコア３００から出射される光の強弱のパターンが異なるように設けられており、光源制御部２０は、光源１０から出射させる光の色を切り替える。【選択図】図１
2020154241.tif 000002
【特許請求の範囲】
【請求項１】
複数のコア（３００）を有する光ファイバーであるマルチコアファイバー（３０）と、
波長の異なる複数色の光を出射する光源（１０）と、
前記光源から出射させる光の色を切り替える光源制御部（２０，２０ｂ）とを備え、
前記光源は、前記光源から出射される光が複数の前記コアのうちの一部のコアに偏って入射されるように設けられており、
複数の前記コアは、前記光源から出射する光の色の種類と同じ数の表示パターンを構成可能に、前記マルチコアファイバーの断面方向にお互いが離間して配置されているとともに、コア長、コア間距離、及びコア径が、前記光源から入射する光の色別に、前記コア間のクロストークによって複数の前記コアから出射される光の強弱のパターンが異なるように設けられており、
前記光源制御部は、前記光源から出射させる光の色を切り替えることで、複数の前記コアから出射される光の強弱のパターンを切り替えさせ、前記マルチコアファイバーの断面に、前記光源から出射する光の色ごとに異なる表示パターンの表示を行わせる表示装置。
【請求項２】
前記光源は、前記光源から出射する光を集光する機構（４０）によって、前記光源から出射される光が複数の前記コアのうちの一部のコアに偏って入射されるように設けられている請求項１に記載の表示装置。
【請求項３】
前記光源は、前記マルチコアファイバーの断面と対向する位置であって、且つ、複数の前記コアのそれぞれとの距離が均一とならない位置に設けられている請求項１に記載の表示装置。
【請求項４】
前記マルチコアファイバーとこのマルチコアファイバーに対応する前記光源との組を複数組備え、
前記光源制御部（２０ｂ）は、これらの組の前記光源から出射させる光の色を切り替える請求項１〜３のいずれか１項に記載の表示装置。
【請求項５】
前記マルチコアファイバーとこのマルチコアファイバーに対応する前記光源との組ごとで前記表示パターンが均一でない請求項４に記載の表示装置。
【請求項６】
車両で用いられる請求項１〜５のいずれか１項に記載の表示装置。
【発明の詳細な説明】
【技術分野】
【０００１】
本開示は、表示装置に関するものである。
【背景技術】
【０００２】
従来、光ファイバーを通信に用いることが知られている。また、光ファイバーを表示に用いることも知られている。例えば、特許文献１には、表示板上の所望の表示パターンを構成するように配置した漏洩型光ファイバーを発光させることで表示パターンを表示する技術が開示されている。特許文献１には、必要に応じて光ファイバー接続手段と漏洩型光ファイバー及び光ファイバーとを差し変えて、表示パターンを自由に変更することが開示されている。
【先行技術文献】
【特許文献】
【０００３】
【特許文献１】特開平１１−７２６２３号公報
【発明の概要】
【発明が解決しようとする課題】
【０００４】
しかしながら、特許文献１に開示の技術では、漏洩型光ファイバーを表示板に二次元的に配置することで表示パターンを構成するため、細かな表示を行うことができない問題点がある。また、特許文献１に開示の技術では、表示パターンを変更するためには光ファイバー接続手段と漏洩型光ファイバー及び光ファイバーとをその都度差し変える必要がある。よって、表示パターンを切り替えるのに手間がかかるとともに、表示パターンを迅速に切り替えることができない問題点がある。
【０００５】
この開示のひとつの目的は、光ファイバーを用いてより細かな複数パターンの形状の表示をより容易且つより迅速に切り替えて表示することを可能にする表示装置を提供することにある。
【課題を解決するための手段】
【０００６】
上記目的は独立請求項に記載の特徴の組み合わせにより達成され、また、下位請求項は、開示の更なる有利な具体例を規定する。特許請求の範囲に記載した括弧内の符号は、ひとつの態様として後述する実施形態に記載の具体的手段との対応関係を示すものであって、本開示の技術的範囲を限定するものではない。
【０００７】
上記目的を達成するために、本開示の表示装置は、複数のコア（３００）を有する光ファイバーであるマルチコアファイバー（３０）と、波長の異なる複数色の光を出射する光源（１０）と、光源から出射させる光の色を切り替える光源制御部（２０，２０ｂ）とを備え、光源は、光源から出射される光が複数のコアのうちの一部のコアに偏って入射されるように設けられており、複数のコアは、光源から出射する光の色の種類と同じ数の表示パターンを構成可能に、マルチコアファイバーの断面方向にお互いが離間して配置されているとともに、コア長、コア間距離、及びコア径が、光源から入射する光の色別に、コア間のクロストークによって複数のコアから出射される光の強弱のパターンが異なるように設けられており、光源制御部は、光源から出射させる光の色を切り替えることで、複数のコアから出射される光の強弱のパターンを切り替えさせ、マルチコアファイバーの断面に、光源から出射する光の色ごとに異なる表示パターンの表示を行わせる。
【０００８】
これによれば、光源からマルチコアファイバーの複数のコアに入射する光は、複数のコア間で偏ることになる。マルチコアファイバーのコアに入射した光は、複数のコア間でクロストークを生じ得る。クロストークは、入射する光の波長、コア長、コア間距離、及びコア径に依存するので、コアに入射する光の色ごとにクロストークの生じ方が異なる。よって、コアに入射する光がコア間で偏っている場合、コアに入射する光の色ごとに、クロストークによって複数のコアから出射される光の強弱のパターンが変化し得る。これに対して、本開示の表示装置では、複数のコアのコア長、コア間距離、及びコア径が、光源から入射する光の色別に、コア間のクロストークによって複数のコアから出射される光の強弱のパターンが異なるように設けられている。よって、コアに入射する光の色ごとに、複数のコアから出射される光の強弱のパターンを異ならせることができる。また、複数のコアは、光源から出射する光の色の種類と同じ数の表示パターンを構成可能に、マルチコアファイバーの断面方向にお互いが離間して配置されている。よって、コアに入射する光の色ごとに、複数のコアから出射される光の強弱のパターンによって、異なる表示パターンを表現することが可能になる。
【０００９】
また、表示パターンは、マルチコアファイバーの断面方向にお互いが離間して配置されているコアによって表現するので、より細かな形状の表示を行うことが可能になる。さらに、光源制御部によって光源から出射させる光の色を切り替えることで、表示パターンを切り替えることが可能になるので、より容易且つより迅速に表示パターンを切り替えることが可能になる。その結果、光ファイバーを用いてより細かな複数パターンの形状の表示をより容易且つより迅速に切り替えて表示することが可能になる。
【図面の簡単な説明】
【００１０】
【図１】表示装置１の概略的な構成の一例を示す図である。
【図２】赤色光を複数のコア３００に入射する場合の複数のコア３００から出射される光の強弱のパターンの一例を説明するための模式図である。
【図３】緑色光を複数のコア３００に入射する場合の複数のコア３００から出射される光の強弱のパターンの一例を説明するための模式図である。
【図４】青色光を複数のコア３００に入射する場合の複数のコア３００から出射される光の強弱のパターンの一例を説明するための模式図である。
【図５】マルチコアファイバー３０の観測側断面に表示される表示パターンの一例を説明するための模式図である。
【図６】表示装置１ａの概略的な構成の一例を示す図である。
【図７】表示装置１ｂの概略的な構成の一例を示す図である。
【発明を実施するための形態】
【００１１】
図面を参照しながら、開示のための複数の実施形態を説明する。なお、説明の便宜上、複数の実施形態の間において、それまでの説明に用いた図に示した部分と同一の機能を有する部分については、同一の符号を付し、その説明を省略する場合がある。同一の符号を付した部分については、他の実施形態における説明を参照することができる。
【００１２】
（実施形態１）
＜表示装置１の概略構成＞
以下、本実施形態について図面を用いて説明する。図１に示すように、表示装置１は、光源１０、光源制御部２０、及びマルチコアファイバー３０を備える。表示装置１では、マルチコアファイバー３０の断面が、観測者Ｏｂによって観測される表示面となる。表示装置１では、光源１０、光源制御部２０、及び観測者Ｏｂ側の断面（以下、観測側断面）を除くマルチコアファイバー３０が、例えばハウジングに収納されている構成とすればよい。このハウジングとしては、例えば樹脂等を用いればよい。ハウジングとしては、光源１０から出射される光を反射しにくい素材を用いることが好ましい。
【００１３】
光源１０は、波長の異なる複数色の光を出射する。光源１０は、それぞれ波長が異なる色の光を発光する発光体を複数有する構成とすればよい。発光体は、電源から供給される電力を用いて発光する。発光体としては、半導体レーザ，発光ダイオード（以下、ＬＥＤ）等の発光素子を用いればよい。以下では、発光体としてＬＥＤを用いる場合を例に挙げて説明を行う。
【００１４】
一例として、本実施形態では、光源１０は、赤色ＬＥＤ１００Ｒ、緑色ＬＥＤ１００Ｇ、及び青色ＬＥＤ１００Ｂを有している。赤色ＬＥＤ１００Ｒは、赤色の光を発光する。赤色の光としては、例えば６２０〜７５０ｎｍの範囲内の波長の光を用いればよい。緑色ＬＥＤ１００Ｇは、緑色の光を発光する。緑色の光としては、例えば４９５〜５７０ｎｍの範囲内の波長の光を用いればよい。青色ＬＥＤ１００Ｂは、青色の光を発光する。青色の光としては、例えば４５０〜４９５ｎｍの範囲内の波長の光を用いればよい。赤色ＬＥＤ１００Ｒ、緑色ＬＥＤ１００Ｇ、及び青色ＬＥＤ１００Ｂは、パッケージ化されたＬＥＤチップであってもよい。
【００１５】
光源１０は、マルチコアファイバー３０の観測側断面とは反対側の断面（以下、光源側断面）と対向する位置に設けられる。これにより、光源１０から出射される光が、マルチコアファイバー３０の光源側断面から入射し、観測側断面から出射する。
【００１６】
光源制御部２０は、光源１０から出射させる光の色を切り替える制御回路である。光源制御部２０は、例えばプロセッサを備えるマイクロコンピュータであってもよいし、ＩＣチップであってもよいし、他の制御回路であってもよい。一例として、光源制御部２０は、電源から赤色ＬＥＤ１００Ｒ、緑色ＬＥＤ１００Ｇ、及び青色ＬＥＤ１００Ｂに流れる電流を制御することで、光源１０から出射させる光の色を切り替える。
【００１７】
例えば、光源制御部２０は、赤色ＬＥＤ１００Ｒに電流を流させる一方、緑色ＬＥＤ１００Ｇ及び青色ＬＥＤ１００Ｂに電流を流させないことで、赤色光を出射させればよい。光源制御部２０は、緑色ＬＥＤ１００Ｇに電流を流させる一方、赤色ＬＥＤ１００Ｒ及び青色ＬＥＤ１００Ｂに電流を流させないことで、緑色光を出射させればよい。光源制御部２０は、青色ＬＥＤ１００Ｂに電流を流させる一方、赤色ＬＥＤ１００Ｒ及び緑色ＬＥＤ１００Ｇに電流を流させないことで、青色光を出射させればよい。
【００１８】
マルチコアファイバー３０は、コア３００及びクラッド３１０を有する。マルチコアファイバー３０は、１つのクラッド３１０の中に複数のコア３００を配置した光ファイバーである。複数のコア３００は、マルチコアファイバー３０の伸長方向に、お互いが略平行に配置される。コア３００及びクラッド３１０は、透過性の高い石英ガラス，樹脂等でできている。コア３００は、クラッド３１０と比較して屈折率が高くなっている。これにより、マルチコアファイバー３０は、全反射の現象を利用して、コア３００で光を伝搬する構造となっている。本実施形態では、コア３００から出射される光を利用することで、マルチコアファイバー３０の観測側断面を表示面として用いる。
【００１９】
マルチコアファイバー３０の材質は、通信用途で用いられる光ファイバーと共通の材質を用いればよい。これにより、通信用途で用いられる光ファイバーを転用することが可能になり、表示装置１の製造の手間を減らすことができる。一方、マルチコアファイバー３０は、通信用途で用いられるよりも長さが大幅に短くなっている。これは、表示装置１の配置の自由度を増すために、表示装置１を薄型にすることが好ましいためである。一例としては、マルチコアファイバー３０の伸長方向の長さは数ｃｍ以下とすればよい。
【００２０】
複数のコア３００は、光源１０から出射する光の色の種類と同じ数の表示パターンを構成可能に、マルチコアファイバー３０の断面方向にお互いが離間して配置されている。本実施形態の例では、光源１０から出射する光の色の種類は赤，緑，青の３種類であるので、３つの表示パターンを構成可能に配置されている。
【００２１】
ここで、マルチコアファイバー３０の断面方向におけるコア３００の配置の一例について、図１を用いて説明する。図１の例では、複数のコア３００として、５つのコア３００Ａ，コア３００Ｂ，コア３００Ｃ，コア３００Ｄ，コア３００Ｅを用いる場合を例に挙げて説明を行う。コア３００Ａは、マルチコアファイバー３０の断面の中央に配置される。コア３００Ｂ，コア３００Ｃ，コア３００Ｄ，コア３００Ｅは、マルチコアファイバー３０の断面視でコア３００Ａを中心にして正方形状に囲むように配置される。図１の例に示す配置によって表現可能な３種類の表示パターンについては後述する。
【００２２】
光源１０とマルチコアファイバー３０との、マルチコアファイバー３０の断面方向の位置関係については、以下の通りである。光源１０は、複数のコア３００のそれぞれとの距離が均一とならない位置に設けられている。これは、光源１０から出射される光が複数のコア３００のうちの一部のコアに偏って入射されるようにするためである。図１の例では、光源１０は、コア３００Ａ〜コア３００Ｅのうちのコア３００Ａに最も近く、コア３００Ｂ〜コア３００Ｅについては等距離となる位置関係となっている。図１の例では、光源１０から出射される光が、コア３００Ｂ〜コア３００Ｅよりもコア３００Ａに多く入射し、コア３００Ｂ〜コア３００Ｅには均等に入射するものとする。
【００２３】
また、複数のコア３００は、コア長、コア間距離、及びコア径が、光源１０から入射する光の色別に、コア３００間のクロストークによって複数のコア３００から出射される光の強弱のパターンが異なるように設けられている。コア３００間のクロストークとは、主に隣接するコア３００間のクロストークである。ここで言うところの隣接とは、クラッド３１０を介して隣り合っていることを意味する。複数のコア３００へ入射する光の色別に複数のコア３００から出射される光の強弱のパターン（つまり、表示パターン）を異ならせる原理について、以下で説明を行う。
【００２４】
＜表示パターンを異ならせる原理について＞
マルチコアファイバー３０では、隣接するコア３００間で光が漏れ出して伝わるクロストークが生じる。クロストークは、入射する光の波長、コア長、コア間距離、及びコア径に依存する。よって、同一のコア３００に入射する光であっても、光の色ごとにクロストークの生じ方が異なる。このことから、複数のコア３００に入射する光がコア３００間で偏っている場合、コア３００に入射する光の色ごとに、クロストークによって複数のコア３００から出射される光の強弱のパターンが変化し得る。これを利用して、コア長、コア間距離、及びコア径を調整して設計することで、複数のコア３００に入射する光の色ごとに、複数のコア３００から出射される光の強弱のパターンを、観測者Ｏｂから認識可能な程度に異ならせることができる。
【００２５】
ここで、図２〜図４を用いて、３色の光の色ごとに複数のコア３００から出射される光の強弱のパターンを異ならせる例について説明を行う。図２〜図４では、便宜上、図１の複数のコア３００のうちの、コア３００Ａとコア３００Ｂとの関係に絞った模式図を用いて説明を行う。図２が赤色光をコア３００に入射する場合の複数のコア３００から出射される光の強弱のパターンの一例を説明するための模式図である。図３が緑色光をコア３００に入射する場合の複数のコア３００から出射される光の強弱のパターンの一例を説明するための模式図である。図４が青色光をコア３００に入射する場合の複数のコア３００から出射される光の強弱のパターンの一例を説明するための模式図である。図２〜図４では、コア３００Ａ及びコア３００Ｂのコア長、コア間距離、及びコア径は同じであって、入射する光の波長のみが異なる。
【００２６】
図２に示すように、赤色ＬＥＤ１００Ｒから出射される赤色光は、コア３００Ａ及びコア３００Ｂに入射する。コア３００Ａ及びコア３００Ｂに入射する赤色光は、コア３００Ｂよりもコア３００Ａに多く入射する偏りがあるものとする。コア３００Ａ及びコア３００Ｂに入射する赤色光は、コア３００Ａとコア３００Ｂとの間での赤色光の波長に応じたクロストークにより、コア３００Ａとコア３００Ｂとを行き来し、コア３００Ａ及びコア３００Ｂから出射する。
【００２７】
図２の例では、クロストークの結果、コア３００Ａに入射した赤色光の大半がコア３００Ａから出射し、コア３００Ｂに入射した赤色光の大半がコア３００Ｂから出射するようになっているものとする。この場合、マルチコアファイバー３０から出射される赤色光は、コア３００Ａで強く、コア３００Ｂで弱くなる。その結果、マルチコアファイバー３０の観測側断面では、コア３００Ａ及びコア３００Ｂのうちのコア３００Ａのみが赤色に光る表示パターンが見られるようになる。
【００２８】
図３に示すように、緑色ＬＥＤ１００Ｇから出射される緑色光も、コア３００Ａ及びコア３００Ｂに入射する。コア３００Ａ及びコア３００Ｂに入射する緑色光も、コア３００Ｂよりもコア３００Ａに多く入射する偏りがあるものとする。コア３００Ａ及びコア３００Ｂに入射する緑色光は、コア３００Ａとコア３００Ｂとの間での緑色光の波長に応じたクロストークにより、コア３００Ａとコア３００Ｂとを行き来し、コア３００Ａ及びコア３００Ｂから出射する。
【００２９】
図３の例では、クロストークの結果、コア３００Ａに入射した緑色光の大半がコア３００Ｂから出射し、コア３００Ｂに入射した緑色光の大半がコア３００Ａから出射するようになっているものとする。この場合、マルチコアファイバー３０から出射される緑色光は、コア３００Ｂで強く、コア３００Ａで弱くなる。その結果、マルチコアファイバー３０の観測側断面では、コア３００Ａ及びコア３００Ｂのうちのコア３００Ｂのみが緑色に光る表示パターンが見られるようになる。
【００３０】
図４に示すように、青色ＬＥＤ１００Ｂから出射される青色光も、コア３００Ａ及びコア３００Ｂに入射する。コア３００Ａ及びコア３００Ｂに入射する青色光も、コア３００Ｂよりもコア３００Ａに多く入射する偏りがあるものとする。コア３００Ａ及びコア３００Ｂに入射する青色光は、コア３００Ａとコア３００Ｂとの間での青色光の波長に応じたクロストークにより、コア３００Ａとコア３００Ｂとを行き来し、コア３００Ａ及びコア３００Ｂから出射する。
【００３１】
図４の例では、クロストークの結果、コア３００Ａに入射した青色光が略均等にコア３００Ａ及びコア３００Ｂから出射し、コア３００Ｂに入射した青色光も略均等にコア３００Ａ及びコア３００Ｂから出射するようになっているものとする。この場合、マルチコアファイバー３０から出射される青色光は、コア３００Ａとコア３００Ｂとで略同じ強さとなる。その結果、マルチコアファイバー３０の観測側断面では、コア３００Ａ及びコア３００Ｂの両方が青色に光る表示パターンが見られるようになる。
【００３２】
本実施形態では、赤緑青の３色の光ごとに複数のコア３００から出射される光の強弱のパターンが図２〜図４で説明したパターンとなるように、コア長、コア間距離、及びコア径が調整して設計されているものとする。コア長及びコア径については、例えば複数のコア３００で一律の値とすればよい。なお、赤緑青の３色の光ごとのパターンは、図２〜図４で示したパターンに限るものではない。色ごとに対応するパターンは、コア長、コア間距離、及びコア径を調整して設計することによって、図２〜図４で示したパターンから入れ替えてもよい。
【００３３】
＜表示パターン例＞
続いて、マルチコアファイバー３０の観測側断面に表示される表示パターンの一例について、図５を用いて説明を行う。本実施形態のマルチコアファイバー３０は、赤緑青の３色の光ごとに複数のコア３００から出射される光の強弱のパターンが、以下のパターンとなるように、コア長、コア間距離、及びコア径が調整して設計されているものとする。なお、光源１０から出射される光は、前述したように、コア３００Ｂ〜コア３００Ｅよりもコア３００Ａに多く入射し、コア３００Ｂ〜コア３００Ｅには均等に入射するものとする。
【００３４】
マルチコアファイバー３０は、赤色ＬＥＤ１００Ｒからコア３００Ａ〜コア３００Ｅに入射される赤色光が、大半はコア３００Ａから出射される一方、コア３００Ｂ〜コア３００Ｅからはあまり出射されないようになっている。これにより、マルチコアファイバー３０に赤色光を入射する場合には、図５のパターンＲｅに示すような、コア３００Ａ〜コア３００Ｅのうちのコア３００Ａのみが赤色に光る表示パターンが表示される。
【００３５】
マルチコアファイバー３０は、緑色ＬＥＤ１００Ｇからコア３００Ａ〜コア３００Ｅに入射される緑色光が、大半はコア３００Ｂ〜３００Ｅから均等に出射される一方、コア３００Ａからはあまり出射されないようになっている。これにより、マルチコアファイバー３０に緑色光を入射する場合には、図５のパターンＧｒに示すような、コア３００Ａ〜コア３００Ｅのうちのコア３００Ｂ〜コア３００Ｅのみが均等に緑色に光る表示パターンが表示される。
【００３６】
マルチコアファイバー３０は、青色ＬＥＤ１００Ｂからコア３００Ａ〜コア３００Ｅに入射される青色光が、コア３００Ａ〜コア３００Ｅから略均等に出射されるようになっている。これにより、マルチコアファイバー３０に青色光を入射する場合には、図５のパターンＢｒに示すような、コア３００Ａ〜コア３００Ｅが均等に青色に光る表示パターンが表示される。
【００３７】
マルチコアファイバー３０の複数のコア３００Ａ〜３００Ｅは、光源１０から出射する光の色の種類と同じ数の表示パターンを構成可能に、マルチコアファイバー３０の断面方向にお互いが離間して配置されている。よって、図５に示すように、コア３００に入射する光の色ごとに、複数のコア３００から出射される光の強弱のパターンによって、異なる表示パターンを表現することが可能になる。
【００３８】
光源制御部２０は、赤色ＬＥＤ１００Ｒに電流を流させて赤色光を出射させることで、図５のパターンＲｅに示すような表示パターンを表示させる。光源制御部２０は、緑色ＬＥＤ１００Ｇに電流を流させて緑色光を出射させることで、図５のパターンＧｒに示すような表示パターンを表示させる。光源制御部２０は、青色ＬＥＤ１００Ｂに電流を流させて青色光を出射させることで、図５のパターンＢｒに示すような表示パターンを表示させる。
【００３９】
このように、光源制御部２０は、光源１０から出射させる光の色を切り替えることで、複数のコア３００から出射される光の強弱のパターンを切り替えさせ、マルチコアファイバー３０の観測側断面に、光源１０から出射する光の色ごとに異なる表示パターンの表示を行わせる。
【００４０】
＜実施形態１のまとめ＞
実施形態１の構成によれば、マルチコアファイバー３０のコア３００に入射する光の色ごとに、複数のコア３００から出射される光の強弱のパターンによって、異なる表示パターンを表現することが可能になる。また、表示パターンは、マルチコアファイバー３０の断面方向にお互いが離間して配置されているコア３００によって表現するので、より細かな形状の表示を行うことが可能になる。さらに、光源制御部２０によって光源１０から出射させる光の色を切り替えることで、表示パターンを切り替えることが可能になるので、より容易且つより迅速に表示パターンを切り替えることが可能になる。その結果、光ファイバーを用いてより細かな複数パターンの形状の表示をより容易且つより迅速に切り替えて表示することが可能になる。
【００４１】
実施形態１の表示装置１は、例えば車両で用いることができる。一例としては、メータの警告灯の表示に利用することができる。また、シフトポジションを示す表示に利用することができる。なお、表示装置１は、車両で用いる構成に限らず、車両以外で用いる構成としてもよい。
【００４２】
（実施形態２）
実施形態１では、光源１０から出射される光が直接的にマルチコアファイバー３０のコア３００に入射される構成を示したが、必ずしもこれに限らない。例えば、光源１０から出射する光を集光する機構によって、光源１０から出射される光が複数のコア３００の内の一部のコア３００に偏って入射される構成（以下、実施形態２）としてもよい。以下では、図を用いて実施形態２の一例についての説明を行う。
【００４３】
図６に示すように、表示装置１ａは、光源１０、光源制御部２０、マルチコアファイバー３０、及び集光機構４０を備える。表示装置１ａは、集光機構４０を備える点を除けば、実施形態１の表示装置１と同様である。
【００４４】
集光機構４０は、光源１０から出射する光を集光する。一例として、集光機構４０としては、集光レンズ等を用いればよい。
【００４５】
光源１０と集光機構４０とマルチコアファイバー３０との、マルチコアファイバー３０の断面方向の位置関係については、以下の通りである。光源１０は、集光機構４０によって、光源１０から出射される光がコア３００に偏って入射されるように設けられている。一例としては、図６の例に示すように、コア３００Ａ〜コア３００Ｅのうちのコア３００Ａのみに偏って入射されるように設けられている。なお、光源１０とマルチコアファイバー３０との、マルチコアファイバー３０の断面方向の位置関係については、実施形態１で述べたのと同様である。
【００４６】
実施形態２の構成でも実施形態１と同様に、光ファイバーを用いてより細かな複数パターンの形状の表示をより容易且つより迅速に切り替えて表示することが可能になる。また、実施形態２の構成によれば、光源１０から出射される光を複数のコア３００のうちの一部のコア３００にさらに偏って入射することが可能になる。よって、コア３００間のクロストークによって複数のコア３００から出射される光の強弱のパターンをさらに偏らせることが可能になる。従って、光源１０から出射させる光によってマルチコアファイバー３０の観測側断面に生成する表示パターンをよりはっきりと表示させることが可能になる。
【００４７】
（実施形態３）
実施形態１では、表示装置１に、マルチコアファイバー３０とこのマルチコアファイバー３０に対応する光源１０との組を１組のみ備える構成を示したが、必ずしもこれに限らない。例えば、マルチコアファイバー３０とこのマルチコアファイバー３０に対応する光源１０との組を複数組備える構成（以下、実施形態３）としてもよい。以下では、図を用いて実施形態３の一例についての説明を行う。
【００４８】
図７に示すように、表示装置１ｂは、複数の光源１０と、複数のマルチコアファイバー３０と、光源制御部２０ｂとを備える。表示装置１ｂは、マルチコアファイバー３０とこのマルチコアファイバー３０に対応する光源１０との組を複数組備える。表示装置１ｂは、マルチコアファイバー３０とこのマルチコアファイバー３０に対応する光源１０との組を複数組備える点を除けば、実施形態１の表示装置１と同様である。マルチコアファイバー３０とこのマルチコアファイバー３０に対応する光源１０との組単位の構成については、実施形態１と同様とすればよい。
【００４９】
光源制御部２０ｂは、制御を行う光源１０が複数である点を除けば、実施形態１の光源制御部２０と同様である。光源制御部２０ｂは、複数の光源１０で出射させる光を一律に同じ色とする構成としてもよいし、色を異ならせる構成としてもよい。
【００５０】
実施形態３の構成でも実施形態１と同様に、光ファイバーを用いてより細かな複数パターンの形状の表示をより容易且つより迅速に切り替えて表示することが可能になる。また、実施形態３の構成によれば、複数のマルチコアファイバー３０の観測側断面に表示される表示パターンを組み合わせてさらに複雑な表示パターンを表示することが可能になる。
【００５１】
なお、複数のマルチコアファイバー３０は、断面方向におけるコア３００の配置が一律に同じでなくてもよい。例えば、断面方向におけるコア３００の配置を複数のマルチコアファイバー３０ごとに異ならせることで、さらに複雑な表示パターンを表示することを可能にしてもよい。また、複数の光源１０のそれぞれから出射可能な光の色の組は、一律に同じでなくてもよい。例えば、複数の光源１０のそれぞれから出射可能な光の色の組を異ならせることで、さらに複雑な表示パターンを表示することを可能にしてもよい。
【００５２】
（実施形態４）
前述の実施形態では、光源１０がマルチコアファイバー３０の観測側断面とは反対側の断面と対向する位置に設けられる構成を示したが、必ずしもこれに限らない。例えば、光源１０とマルチコアファイバー３０との間の光路にミラーを挟むことで、光源１０がマルチコアファイバー３０の観測側断面とは反対側の断面と対向する位置に設けられない構成としてもよい。
【００５３】
（実施形態５）
前述の実施形態では、光源１０から出射可能な光の色の組として、赤、緑、青の３色を用いる構成を示したが、必ずしもこれに限らない。例えば、他の色を用いる構成としてもよい。また、３色に限らず、２色であっても、４色以上であってもよい。
【００５４】
なお、本開示は、上述した実施形態に限定されるものではなく、請求項に示した範囲で種々の変更が可能であり、異なる実施形態にそれぞれ開示された技術的手段を適宜組み合わせて得られる実施形態についても本開示の技術的範囲に含まれる。また、本開示に記載の制御部及びその手法は、コンピュータプログラムにより具体化された１つ乃至は複数の機能を実行するようにプログラムされたプロセッサを構成する専用コンピュータにより、実現されてもよい。あるいは、本開示に記載の装置及びその手法は、専用ハードウェア論理回路により、実現されてもよい。もしくは、本開示に記載の装置及びその手法は、コンピュータプログラムを実行するプロセッサと１つ以上のハードウェア論理回路との組み合わせにより構成された１つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【符号の説明】
【００５５】
１，１ａ，１ｃ  表示装置、１０  光源、２０，２０ｂ  光源制御部、３０  マルチコアファイバー、４０  集光機構、１００Ｒ  赤色ＬＥＤ、１００Ｇ  緑色ＬＥＤ、１００Ｂ  青色ＬＥＤ、３００，３００Ａ，３００Ｂ，３００Ｃ，３００Ｄ，３００Ｅ  コア、３１０  クラッド
【図１】
2020154241.tif 000003
【図２】
2020154241.tif 000004
【図３】
2020154241.tif 000005
【図４】
2020154241.tif 000006
【図５】
2020154241.tif 000007
【図６】
2020154241.tif 000008
【図７】
2020154241.tif 000009